【事件の表示】
　特願２００５−３１５４９１「チャンネル検索方法及び放送受信装置」拒絶査定不服審判事件〔平成１９年　５月１７日出願公開、特開２００７−１２４４１８〕について、次のとおり審決する。
【結　論】
　本件審判の請求は、成り立たない。
【理　由】
第１　手続の経緯
　
　本願は、平成１７年１０月２８日を出願日とする出願であって、手続の概要は以下のとおりである。 
　
拒絶理由通知　　　　　：平成２３年　６月　６日（起案日）
手続補正　　　　　　　：平成２３年　８月１２日
拒絶査定　　　　　　　：平成２３年　９月　５日（起案日）
拒絶査定不服審判請求　：平成２３年１２月１３日
拒絶理由（当審）　　　：平成２４年１１月２９日（起案日）
手続補正　　　　　　　：平成２５年　２月　４日
　
第２　本願発明
　本願の請求項１に係る発明（以下、「本願発明」という。）は、平成２５年２月４日付けの手続補正書により補正された特許請求の範囲の請求項１に記載された事項により特定される、以下のとおりのものである。
　
　　【請求項１】
　カメラで撮影し、放送波の受信チャンネルをスキャンし、該スキャンして得られた映像と前記撮影中の画像とを比較して前記撮影中の画像に関連するチャンネルを検索する、
　チャンネル検索方法。
　
第３　刊行物の記載事項
　当審における拒絶の理由の通知において引用された特開２００２−１３５６７３号公報（平成１４年５月１０日出願公開。以下、「刊行物１」という。）には、図面と共に以下の事項が記載されている。
　
【０００１】
【発明の属する技術分野】本発明は、無線または有線による放送を受信する装置に関する。
【０００２】
【従来の技術】近年、BS（放送衛星）やCS（通信衛星）の衛星放送を使ってデータを放送したり、地上波のテレビ放送の映像信号や音声信号のすき間を利用して、文字や静止画、ニュースや天気予報などの番組を載せたHTMLファイルを圧縮してデータを放送し、受信用ボードをパソコンに組み込み、Webブラウザーを利用して見ることができたり、画面を左右2分割し、片側で通常のテレビ放送、もう一方で文字放送に似た要領のデータ放送を受信して、独立した情報のほか、テレビ番組と連動した内容も提供することができたり、テレビ放送の電波と電話回線を利用した双方向テレビシステムとして、視聴者から放送事業者へのデータ発信には電話回線を利用したり、ケーブルテレビのケーブルを使ってテレビ放送だけでなく、インターネットに接続し高速にデータ転送するケーブルモデムなどがある。
【０００３】また、デジタル衛星放送によって番組ガイドなどの機能付加もできるようになってきている。
【０００４】
【発明が解決しようとする課題】しかしながら、上記従来技術では、気になる情報や見たい情報をテレビ放送から探して見ることは容易ではなく、放送されている複数のチャンネルを同時に画面に分割表示したり、何度もチャンネルを切り替えたりして見つけなければならなかった。
【０００５】本発明の目的は、テレビ番組の放送中あるいは放送前から気になるものや見たいものを受信中の全チャンネルの放送内容や通信回線上の情報を使って検索し活用できることである。
　　
【０００６】
【課題を解決するための手段】上記目的を達成するために第１の手段は、多チャンネルの放送を受信するための受信装置と、データ等を入力するための入力装置と、データ等を記憶しておく記憶装置と、装置全体を制御するためのデータ処理を行うＣＰＵを含めた情報処理装置と、＜検索＞などの機能キーと、情報処理装置によって処理された内容や受信した放送などを表示する画面本体を持った情報処理装置において、テレビ番組などの放送を見るときに、気になるものや見たいものなどを単語（キーワード）の文字列を指定し、前述の＜検索＞キーを押すことにより受信中の全チャンネルの放送内容から文字情報を解析して検索し、検索結果を表示する手段を備える。
　
【０００８】第３の手段は、第１の手段において、更にカメラなどで記録した映像を記憶装置に登録する取込装置を持った情報処理装置において、検索したいものが単語（キーワード）ではなく映像である場合、前述の取込装置によって取込まれた記録映像を指定し、前述の＜検索＞キーを押すことにより記録映像と受信中の全チャンネル放送内容を解析して検索し、検索結果を表示する手段を備える。
　
【００１３】図１は、本発明の一実施形態を示す情報処理装置の機能ブロック図である。同図において、情報処理装置１は、入力部１０、ＣＰＵ５０、通信部５１、文字認識５２、音声認識５３、映像認識５４、録画部５５、及び記憶装置６０を含み、入力部１０には検索キー１１、文字入力１２、音声入力１３、及び映像入力１４を含み、映像入力１４にはビデオカメラやデジタルカメラなどに接続でき図１は接続ケーブルを介して映像再生機能のあるカメラ等１５と接続した例である。通信部５１には一般の電話回線などに接続でき図１は接続ケーブルを介して通信回線４０と接続した例である。文字認識５２には地上波や衛星放送などの受信チューナーに接続でき図１は接続ケーブルを介して受信部３０と接続した例であり、受信したデータから文字情報を取り出して認識する。音声認識５３にはマイクなどの音声入力装置に接続でき図１は接続ケーブルを介して音声入力１３と接続した例であり、入力した音声情報を認識する。映像認識５４にはビデオデッキなどに接続でき図１は接続ケーブルを介して映像録画再生機能のある録画部５5や映像入力１４と接続した例であり、入力した映像情報を認識する。記憶装置６０にはキーワード管理用６１として機能する領域と文字認識用６２として機能する領域と映像認識用６３として機能する領域と音声認識用６４として機能する領域と認識結果保存用６５として機能する領域と検索用６６として機能する領域とタイマー録画用６７として機能する領域とワークエリア６８として機能する領域が設定されている。また、表示部２０には受信部３０で受信した放送内容を表示したり、ＣＰＵ５０から出力された情報を表示したりする。図１中の矢印はデータの受け渡しあるいは制御を示すものであり、記憶装置６０にはこの装置を動作させるためのプログラムや各種データファイルを記録し、プログラムの実行やデータ処理に使用するワークエリア６８を備える。ＣＰＵ５０はそれぞれの情報を認識し入力部１０から検索項目に指定された内容と照らし合わせて検索結果を記憶したり表示したりする。
【００１４】図２は検索したい内容の指定から受信中の放送及び通信回線上のデータを検索し検索結果を保存し表示するまでのフローチャートである。図２で示すものは一例であり、ここでは全チャンネルが１から順番に割り振られているものとする。入力部１０により文字または音声または映像を検索対象として指定し（２０１）、入力内容を認識させて（２０２）、検索キー１１を押下すると（２０３）、通信回線上のデータも検索するかどうかを選択する（２０４）。通信回線上のデータも検索するならば、受信チャンネルを示す変数ＣＨを０に初期化し（２１５）、通信機能を起動する（２１６）。ＣＨを１つ繰り上げて（２１７）、通信回線上のチャンネルＣＨの番組情報から検索し（２１８）、検索結果を保存する（２１９）。検索結果を使ってこれから放送される番組をタイマー録画する（２２１）かどうか選択する（２２０）。次のチャンネルが存在するかどうか確認し（２２２）、存在する場合はＣＨを１つ繰り上げて（２１７）、検索を繰り返す。次のチャンネルが存在しない場合または通信回線上を検索しない場合、受信チャンネルを示す変数ＣＨを０に初期化し（２０５）、ＣＨを１つ繰り上げて（２０６）、ＣＨの放送内容を取得する（２０７）。入力部１０で指定した検索項目に応じて比較対象を決める（２０８）。文字による検索ならば、取得した放送から文字情報を認識し検索する（２０９）。音声による検索ならば、所得した放送から音声情報を認識し検索する（２１０）。映像による検索ならば、取得した放送から映像情報を認識し検索する（２１１）。そして検索結果を保存し（２１２）、次のチャンネルが存在するかどうか確認し（２２２）、存在する場合はＣＨを１つ繰り上げて（２０６）、検索を繰り返す。次のチャンネルが存在しない場合は検索結果を表示し（２１４）、ユーザの要求に応じて検索結果にあるチャンネルを表示する。
【００１５】
【発明の効果】以上述べたように本発明は、気になるものや見たいものなどを単語（キーワード）の文字列や映像及び音声を入力指定し、＜検索＞キーを押すことにより受信中の全チャンネルの放送内容あるいは通信回線上の情報を解析し検索して表示できたり、検索したいものの情報をリアルタイムに検索するだけではなく、放送内容に関連付けた情報を発信している通信回線上にある放送予定の情報を検索対象とし、検索結果を表示したり録画装置へのタイマー録画設定などに活用できることである。
　
第４　刊行物に記載された発明
　以上の記載によれば、刊行物１には次の発明（以下、刊行物１発明という。）が記載されている。
　
ａ．カメラを用いた検索
　上記【０００８】、【００１３】の記載によれば、刊行物１に記載された発明は「更にカメラなどで記録した映像を記憶装置に登録する取込装置を持った情報処理装置において、検索したいものが単語（キーワード）ではなく映像である場合、前述の取込装置によって取込まれた記録映像を指定し、前述の＜検索＞キーを押すことにより記録映像と受信中の全チャンネル放送内容を解析して検索し、検索結果を表示する手段を備える。」とあるから、刊行物１には「カメラなどの映像を取込む装置を持った情報処理装置において、検索したいものが映像である場合、前述の取込装置によって取込まれた記録映像を指定し、記録映像と受信中の全チャンネル放送内容を解析して検索し、検索結果を表示する手段」を備えているといえる。
　上記「手段」は、当該手段を用いて、解析して検索し、表示する方法を実現しているといえる。
　したがって、刊行物１発明は、「カメラで取り込まれた記録映像を指定し、受信中の放送内容を解析し、検索する方法」に関する発明であるということができる。
　
ｂ．放送内容の解析
　上記【００１４】には「入力部１０により・・映像を検索対象として指定し（２０１）、入力内容を認識させて（２０２）、検索キー１１を押下すると（２０３）、・・・受信チャンネルを示す変数ＣＨを０に初期化し（２０５）、ＣＨを１つ繰り上げて（２０６）、ＣＨの放送内容を取得する（２０７）。入力部１０で指定した検索項目に応じて比較対象を決める（２０８）。・・・映像による検索ならば、取得した放送から映像情報を認識し検索する（２１１）。そして検索結果を保存し（２１２）、次のチャンネルが存在するかどうか確認し（２２２）、存在する場合はＣＨを１つ繰り上げて（２０６）、検索を繰り返す。次のチャンネルが存在しない場合は検索結果を表示し（２１４）、ユーザの要求に応じて検索結果にあるチャンネルを表示する。」とあるから、
　刊行物１には「映像による検索の場合、入力部により映像を検索対象として指定し、入力内容を認識させ、受信チャンネルを示す変数ＣＨを０に初期化し、ＣＨを１つ繰り上げて、ＣＨの放送内容を取得し、取得した放送から映像情報を認識し検索し、検索結果を保存し、次のチャンネルが存在するかどうか確認し、存在する場合はＣＨを１つ繰り上げて、検索を繰り返し、次のチャンネルが存在しない場合は検索結果を表示し、ユーザの要求に応じて検索結果にあるチャンネルを表示する」方法が開示されている。
　
ｃ．まとめ
　以上まとめると、刊行物１に記載された発明（以下「刊行物１発明」という。）として、以下のとおりのものを認定することができる。
　
　カメラで取り込まれた記録映像を指定し、受信中の放送内容を解析し、検索する方法であって、
　映像による検索の場合、入力部により映像を検索対象として指定し、入力内容を認識させ、受信チャンネルを示す変数ＣＨを０に初期化し、ＣＨを１つ繰り上げて、ＣＨの放送内容を取得し、取得した放送から映像情報を認識し検索し、検索結果を保存し、次のチャンネルが存在するかどうか確認し、存在する場合はＣＨを１つ繰り上げて、検索を繰り返し、次のチャンネルが存在しない場合は検索結果を表示し、ユーザの要求に応じて検索結果にあるチャンネルを表示する方法。
　
第５　対比
　本願発明と刊行物１発明とを対比する。
　
ａ．カメラで撮影し
　刊行物１発明は、カメラで取り込まれた記録映像を解析し検索する映像の対象としていて、カメラで映像を取り込むことを、撮影と称しても良いことは、技術常識であるから、「カメラで撮影し」た映像を対象としている点で、本願発明と相違がない。
　
ｂ．放送波の受信チャンネルをスキャンし
　刊行物１発明の「受信チャンネルを示す変数ＣＨを０に初期化し、ＣＨを１つ繰り上げて、ＣＨの放送内容を取得し、取得した放送から映像情報を認識し検索し、検索結果を保存し、次のチャンネルが存在するかどうか確認し、存在する場合はＣＨを１つ繰り上げて、検索を繰り返」すことは、放送波の受信を、１チャンネルごと順次繰り返すことであって、当該受信を繰り返すことを、「受信チャンネルをスキャンする」といえることは、当業者にとって当たり前のことであるから、刊行物１発明は、放送波の受信チャンネルをスキャンしている点で、本願発明と相違がない。
　
ｃ．該スキャンして得られた映像と前記撮影中の画像とを比較
　刊行物１発明のカメラで取り込まれた画像は、カメラで取り込まれた画像を記録し、当該記録された画像から、ユーザが選択した画像であるから、カメラで撮影した画像である点で、本願発明の撮影中の画像と共通するが、本願発明の撮影中の画像とは、その時点で撮影している画像という意味であるから、刊行物１発明は、撮影中の画像ということはできない。
　刊行物１発明は、「入力部により映像を検索対象として指定し、入力内容を認識させ」、「取得した放送から映像情報を認識し検索し」ている。
　上記刊行物１発明の「入力部により映像を検索対象として指定し、入力内容を認識させ」ている画像は、上記カメラで撮影した画像であることは明らかであり、「取得した放送から映像情報を認識する」の映像情報は、上記ｂ．で検討したとおり、スキャンして得られた映像といえる。
　そして、これら二つの画像を認識して、検索するためには、認識した二つの画像を比較することが必要であることは明らかであるから、刊行物１発明は「該スキャンして得られた映像と前記撮影した画像とを比較」している点で相違がない。
　もっとも、本願発明の「撮影した画像」は「撮影中の画像」であるのに対し、刊行物１発明の「撮影した画像」は、「撮影し記録した画像」である点で相違する。
　
ｄ．前記撮影中の画像に関連するチャンネルを検索する
　刊行物１発明は、前提として第１の手段である「第１の手段は、多チャンネルの放送を受信するための受信装置と、データ等を入力するための入力装置と、データ等を記憶しておく記憶装置と、装置全体を制御するためのデータ処理を行うＣＰＵを含めた情報処理装置と、＜検索＞などの機能キーと、情報処理装置によって処理された内容や受信した放送などを表示する画面本体を持った情報処理装置において、テレビ番組などの放送を見るときに、気になるものや見たいものなどを単語（キーワード）の文字列を指定し、前述の＜検索＞キーを押すことにより受信中の全チャンネルの放送内容から文字情報を解析して検索し、検索結果を表示する手段を備える。」（【０００６】）構成があって、当該構成のキーワードが、画像である場合（検索したいものが単語（キーワード）ではなく映像である場合【０００８】）の構成である。
　したがって、刊行物１発明は、「テレビ番組などの放送を見るときに、気になるものや見たいものなどを画像で指定し、前述の＜検索＞キーを押すことにより受信中の全チャンネルの放送内容から画像情報を解析して検索し、検索結果を表示する手段を備える。」といえる。
　すなわち、気になるものや見たいものなどを画像で検索し、検索結果を表示しているから、検索され表示されるのは、上記気になる画像に関連するチャンネルといえる。
　したがって、刊行物１発明は、撮影した画像に関連するチャンネルを検索している点で、本願発明と相違がない。
　もっとも、上記ｃ．で検討したように、本願発明の「撮影した画像」は「撮影中の画像」であるのに対し、刊行物１発明の「撮影した画像」は、「撮影し記録した画像」である点で相違する。
　
ｅ．チャンネル検索方法
　刊行物１発明も「受信中の放送内容を解析し、検索する方法」であり、放送内容の解析、検索は、チャンネル毎に行って所望のチャンネルを検索しているから、チャンネル検索方法といえる。
　
ｆ．まとめ
　上記ａ．ないしｅ．の対比結果によれば、本願発明と刊行物１発明とは以下の一致点で一致し、相違点で相違する。
　
［一致点］
　カメラで撮影し、放送波の受信チャンネルをスキャンし、該スキャンして得られた映像と前記撮影した画像とを比較して前記撮影した画像に関連するチャンネルを検索する、
　チャンネル検索方法。
　
［相違点］
　本願発明の「撮影した画像」は「撮影中の画像」であるのに対し、刊行物１発明の「撮影した画像」は、「撮影し記録した画像」である点。
　
第５　判断
ａ．「撮影中の画像」について
　本願発明の「撮影中の画像」について、まず検討する。
　本願明細書には「撮影中の画像」なる表現はない。
　カメラで撮影した（する）画像としては、以下の記載がある。
　
【００１９】
  カメラ５０は、画像を取り込みカメラ処理部１５に出力する。テレビ及びカメラ機能付き放送受信装置１００がテレビ動作以外のとき、あるいはこれと連動して用いられ、たとえば放送受信装置を介してカメラ５０で取り込んだ画像を転送するために用いられたりする。また、テレビ映像を取り込み、その画像がどのチャンネルかを検索するときにも用いられる。
【００２０】
  次に、テレビ及びカメラ機能付き放送受信装置１００の動作を図２と図３を用いて説明する。
  旅行や出張などの移動先において、ユーザが現地のテレビ（受信機）で目にした番組を、ユーザが所持するテレビ及びカメラ機能付き放送受信装置１００で引き続き視聴した場合、ユーザはテレビ及びカメラ機能付き放送受信装置１００のカメラ機能でそのテレビ画面を撮影し、後述のフローチャートで説明する本発明の機能を実現させる。この結果、テレビ及びカメラ機能付き放送受信装置１００は、該当するチャンネルの検索を実施し、該当するチャンネルがあればテレビ機能で引き続き番組を視聴できるようにする。
　
【００２３】
  ステップＳＴ０２において、操作部１９でキー操作してカメラ５０を操作するためのコマンドを入力し、ＣＰＵ１３からカメラ５０に制御信号を出力し、カメラ５０を起動する。このカメラ５０でたとえば上述した街頭テレビに映し出された映像を撮影し、カメラ処理部１５で画像処理し、ＣＰＵ１３（あるいはバス）を介してＲＡＭ１７に記憶すると共に表示部２０にこの取り込んだ画像を表示する。この街頭テレビの映像をカメラ５０で捕捉した図を図３（Ｂ）に示す。
【００２４】                                　
  ステップＳＴ０３において、ユーザは所持していたテレビ及びカメラ機能付き放送受信装置１００の操作部１９からキー操作し、ＣＰＵ１３にコマンドを転送して、ＣＰＵ１３からチャンネル検索用の制御信号を発生しテレビチューナー部１２に供給して、テレビチューナー部１２を起動してテレビチャンネル検索を開始し、任意のチャンネルに設定する。
  カメラ機能を起動後、テレビ画面を捕捉してからボタン押下（キー操作）などによるトリガで該当するチャンネルの検索を開始してもよく、また、（テレビ及びカメラ機能付き）放送受信装置１００は、カメラ５０から取り入れられたテレビ画面の捕捉を自動で検出して該当するチャンネルの検索を開始しても良い。
　
【００２６】
  ステップＳＴ０４おいて、ＣＰＵ１３の制御信号によりＲＡＭ１７に記憶されたチャンネル情報テーブル１（、・・・、チャンネル情報テーブルｎ（３））からチャンネル情報を読み出す。この読み出したチャンネル情報に基いて、ＣＰＵ１３はテレビチューナー部１２を制御し、チャンネルが選択され、選択されたチャンネルの映像が出力される。このテレビチューナー部１２から出力された映像（信号）とカメラ５０から取り込まれた画像を比較して、両者の画像（情報）が一致しているかどうか判断される。一致した場合ステップＳＴ１２に遷移し、不一致の場合、ステップＳＴ０５へ遷移する。
【００２７】
  テレビチューナー部１２でチャンネルが選択され出力されたテレビ映像とカメラ５０から取り込まれた画像（情報）を比較して一致すると、ステップＳＴ１２において、該当チャンネルがあると判断され、テレビ及びカメラ機能付き放送受信装置１００はテレビ機能に遷移する。
  カメラ５０から取り込まれた画像とテレビチューナー部１２から出力された映像信号が一致すると、ＣＰＵ１３により、カメラ機能と携帯電話機能の表示機能などの一部の機能は停止し、直ちにテレビ機能に遷移する。即ち、テレビチューナー部１２からの映像信号を表示部２０に表示し、テレビ番組を視聴できるようにする。またこれと同時に、ＣＰＵ１３の制御信号により音声処理部１４を制御して、テレビチューナー部１２から出力されたテレビ音声信号を処理してスピーカ３０へ出力する。
  そして、一連の操作は終了する（ステップＳＴ１３）。
【００２８】
  ステップＳＴ０５において、テレビチューナー部１２から出力されたチャンネル映像とカメラ５０から取り込んだ画像が一致しない場合、チャンネルの変更を行う。
  チャンネル変更は、ＣＰＵ１３により、ＲＯＭ１６に組み込まれたプログラムにより、ＲＡＭ１７のたとえばチャンネル情報テーブル１（、・・・、チャンネル情報テーブルｎ（３））からチャンネルを順次変更し、そのチャンネルに対応した制御信号をＣＰＵ１３からテレビチューナー部１２に出力する。例えば、ＣＰＵ１３から出力された制御信号がディジタルデータである場合、このディジタルデータはテレビチューナー部１２に内蔵されているＤ／Ａ（ディジタル・アナログ）変換器（不図示）でアナログ電圧に変換されて、発振器などの同調回路のバリキャップダイオードに供給され、発振器の発振周波数が可変され、目的のチャンネル（周波数）が選択される。
　
【００３０】
  ステップＳＴ０６で全てのチャンネルが検索された場合、まだカメラ５０から取り込んだ画像とテレビチューナー部１２から供給された映像が一致せず、カメラ５０から取り込んだ画像に対応するテレビチャンネルがＲＡＭ１７のチャンネル情報テーブルに存在していないことを示している。
  　
【００３３】
  ステップＳＴ１０において、チャンネルのオートスキャンの途中、選択された特定のチャンネルの映像とカメラ５０で取り込まれた画像と比較して、両者が一致するかどうかを判定する。一致するとステップＳＴ１２へ遷移し、不一致のときはステップＳＴ０９へ遷移しスキャンを続行する。
【００３４】
  ステップＳＴ１２において、ステップＳＴ０４でチャンネル情報テーブル１（、・・・、チャンネル情報テーブルｎ（３））を用いてチャンネルを検索して、テレビチューナー部１２から出力された映像とカメラ５０で取り込まれた画像が比較された結果、両者が一致したときと、オートスキャンしてテレビチューナー部１２から出力された映像とカメラ５０から取り込まれた画像を比較して両者が一致したとき、ＣＰＵ１３は該当チャンネルが存在したと判断する。ＣＰＵ１３は、直ちにテレビ機能へ遷移するよう制御信号をテレビチューナー部１２、音声処理部１４、表示部２０などに出力し、音声処理部１４から音声を出力し、また表示装置２０からテレビ番組の映像を表示するようにする。またこれと同時に、表示部２０はＲＡＭ１７などから供給されたチャンネル情報、時刻情報などを表示し、一連の動作を終了する（ステップＳＴ１３）。チャンネル検索成功時、テレビ機能に遷移したときの表示装置２０に番組を表示した例を図３（Ｅ）に示す。
   　
【００３６】
  ステップＳＴ１１において、チャンネル情報テーブル１（、・・・、チャンネル情報テーブルｎ（３））を用いてチャンネルの映像とカメラ５０から得た画像の一致を調べた結果、その画像に該当するチャンネルが見つからなかったときと、オートスキャンして得たチャンネル映像とカメラ５０から得た画像が一致しないときは、街頭テレビで表示された映像に対応するチャンネルは存在しなかったことを、表示装置２０に「該当チャンネルなし」とメッセージ表示し、一連の動作を終了する（ステップＳＴ１３）。検索失敗時のメッセージを表示した例を図３（Ｄ）に示す。
【００３７】
  上述したように、カメラ５０での撮影が正常な場合と、テレビチューナー部１２から出力された映像が正常な場合について述べた。しかし、カメラ５０で街頭テレビの放映された映像を撮影中、手ぶれにより画像が不鮮明になったときや、テレビチューナー部１２で出力されたテレビ画面が大きくフレームアウトが発生する場合がある。これらのいずれか一方が発生しても映像と画像を比較してチャンネルを検索するので、その画像がどのチャ
ンネルであるか判明するのは困難である。これを回避するため、該当するチャンネル検索をやり直す必要があり、その旨のメッセージを表示部２０に表示しても良い。
　
　「撮影中の画像」の文言上の意味は、撮影という処理が進行していて、その間撮影され続ける画像と捉えることができる。
　「該スキャンして得られた映像と前記撮影中の画像とを比較」するのであるから、比較ができる画像ということになるが、通常画像を比較するときは、動画であっても、動画中の１フレームの画像（１枚の静止画）を抽出することで、静止画同士で比較するのが普通である。
　撮影という処理が進行しているから、ある期間の間撮影が行われているものと捉えることができ、その間撮影され続けるから、撮影されている間、１フレームの画像は、撮影されるごと（例えば、通常の動画の場合１／３０秒ごとにフレーム画像が撮影されるたび）静止画像として得られるが、「撮影中の画像と比較する」ということは、比較の対象となる１フレームの画像が、撮影されるごとに更新されて比較することを意味するものとも捉えることができる。
　しかし、上記発明の詳細な説明や、図面（図２）の記載を見ると、ステップＳＴ０２において、カメラ５０を起動し、映像を撮影し、カメラ処理部１５で画像処理し、ＣＰＵ１３（あるいはバス）を介してＲＡＭ１７に記憶すると共に表示部２０にこの取り込んだ画像を表示した後、検索処理Ａ、検索処理Ｂが行われるが、検索処理を行っている間、新たな撮影が行われていない。
　すなわち、「撮影中の画像」とは、撮影という処理が進行していて、この間更新される続ける画像のことを指していることではない。
　「撮影中の画像」は、平成２５年２月４日付け手続補正書にて新たに付加された構成であるが、同日付の意見書も参酌すると、
「本願発明は、「撮影中の画像と、放送の映像と、を比較して前記撮影中の画像に関連するチャンネルを検索する」ことに特徴があります。
　これに対し、審判官殿も御認識の通り、引用発明１は、比較対象を、（ビデオ）カメラ等１５が入力（撮影）した映像情報とするものであって、（ビデオ）カメラ等１５の撮影中の映像情報とするものではなく、上述した本願発明の構成に対応する直接的な記載やこれを示唆する記載ではありません。」
とあるから、刊行物１発明（引用発明１）と本願発明との相違を明らかにする構成と認めることができる。
　この点について検討すると、
　刊行物１発明は、「カメラで取り込まれた記録映像を指定し、受信中の放送内容を解析し、検索する方法」であるから、比較（検索）の対象は「カメラで取り込まれた記録映像」、すなわち、もう既にカメラで撮影した画像が（記録媒体に）存在し、その存在する画像の中から指定された画像といえるものであるのに対し、
　本願発明は、ユーザが検索しようと考えたときに、即座に撮影し、当該撮影した画像を検索の対象としているといえ、
　この点で異なるから、この相違点を明確にするために「撮影中の画像」としたものと認めることができる。
　すなわち、本願発明と刊行物１発明との相違点『本願発明の「撮影した画像」は「撮影中の画像」であるのに対し、刊行物１発明の「撮影した画像」は、「撮影し記録した画像」である点』とは、本願発明の検索対象である画像は、検索しようと思ったときに撮影した画像であるのに対し、刊行物１発明の検索対象の画像は、検索しようと思ったときに撮影した画像ではなく、既に撮影し記録部に記録された画像である点で相違すると言い換えることができる。
　
ｂ．相違点についての判断
　刊行物１発明において、検索対象の画像を映像入力部に与えるのは、映像入力を介したカメラ等であること、カメラ等から与えられる画像は、記録映像であることは先に検討したとおりである。
　ところで、刊行物１には「本発明の目的は、テレビ番組の放送中あるいは放送前から気になるものや見たいものを受信中の全チャンネルの放送内容や通信回線上の情報を使って検索し活用できることである。」（【０００５】）とあり、「テレビ番組の放送前から気になるものや見たいもの」は、刊行物１発明の「記録映像」として実現できるが、「テレビ番組の放送中・・・気になるものや見たいもの」は、現在気になるものであって、必ずしも、記録映像に含まれているということはできず、記録映像の中に、検索対象としたい画像が含まれていないことは、上記記載から当業者であれば普通に想定できることであるといえる。そして、カメラは画像を撮像する手段であるから、検索対象としたい画像が記録映像中に無ければ、カメラで撮影して得ようとすることは、ユーザが普通に想起することであるといえる。してみると、刊行物１発明において、ユーザが検索しようと考えたとき、カメラを利用し（検索しようとしたときに、即座に）撮影した画像も入力手段から入力可能とし、検索対象とする構成を採用することは、当業者であれば、普通に想起し得たことであるといえる。
　したがって、刊行物１発明において、上記相違点に係る構成を採用することは、当業者が容易になし得たことであるということができる。
　
ｃ．効果
　以上のように、上記相違点は、当業者が容易に想到し得たものと認められ、本願発明全体としてみても格別のものはなく、その作用効果も、上記相違点に係る構成の採用に伴って当然に予測される程度のものにすぎず、格別顕著なものがあるとは認められない。
　
第６　むすび
　以上のとおり、本願発明は、刊行物１に記載された発明に基づいて、当業者が容易に発明をすることができたものであるから、特許法第２９条第２項の規定により特許を受けることができない。
　したがって、残る請求項２に係る発明について検討するまでもなく、本願は拒絶すべきものである。
　よって、結論のとおり審決する。